(57)【要約】【課題】、画像の表示領域が変更されても、画像の表示画質の低下を抑制することができる表示装置を提供する。【解決手段】液晶パネル３２１に画像を表示する表示部３０と、液晶パネル３２１に表示される画像を補正するガンマ補正実行部２２及び色むら補正実行部２３と、を備え、ガンマ補正実行部２２及び色むら補正実行部２３は、液晶パネル３２１の一部に画像が表示される場合に、画像が表示される表示領域に対応した補正を行う。【選択図】図２
2016109841.tif 000002
【特許請求の範囲】
【請求項１】
表示パネルに画像を表示する表示部と、
前記表示パネルに表示される画像を補正する補正部と、を備え、
前記補正部は、前記表示パネルの一部に前記画像が表示される場合に、前記画像が表示される表示領域に対応した補正を行うこと、
を特徴とする表示装置。
【請求項２】
前記補正部は、前記表示パネルの表示可能領域に対する前記表示領域の位置、及び、前記表示領域の大きさのうち、少なくともいずれかに対応した補正を行うこと、
を特徴とする請求項１記載の表示装置。
【請求項３】
前記補正部は、前記表示領域の前記表示パネルの表示特性に対応して前記画像を補正するものであり、
前記表示パネルの一部に前記画像が表示される場合に、前記表示領域以外の領域における表示特性を加味しない補正を行うこと、
を特徴とする請求項１または２記載の表示装置。
【請求項４】
前記表示パネルの表示解像度と、表示する画像の解像度とに基づいて、前記表示パネルにおける前記表示領域の位置及び大きさを指定して画像を表示させる表示制御部を備えること、
を特徴とする請求項１から３のいずれかに記載の表示装置。
【請求項５】
前記画像を補正する補正データを、前記表示パネルにおける前記表示領域の配置状態に対応付けて記憶する記憶部と、
前記記憶部が記憶する前記補正データを、前記表示パネルにおける前記表示領域の配置状態に基づいて選択する選択部と、を備え、
前記補正部は、前記選択部が選択する前記補正データに基づき画像を補正すること、
を特徴とする請求項１から４のいずれかに記載の表示装置。
【請求項６】
前記表示部は、前記表示パネルの表示解像度と、表示する画像の解像度との組み合わせに対応する前記表示領域に画像を表示し、
前記記憶部は、前記表示パネルの表示解像度と、表示する画像の解像度との組み合わせに対応付けて前記補正データを記憶すること、
を特徴とする請求項５記載の表示装置。
【請求項７】
表示パネルに画像を表示する表示部を備えた表示装置の制御方法であって、
前記表示パネルの一部に前記画像が表示される場合に、前記画像が表示される表示領域に対応して、前記表示パネルに表示される画像を補正すること、
を特徴とする表示装置の制御方法。
【発明の詳細な説明】
【技術分野】
【０００１】
本発明は、表示装置、及び、表示装置の制御方法に関する。
【背景技術】
【０００２】
一般に、表示装置には、様々なアスペクト比（画像の水平寸法と垂直寸法との比）の画像が入力される。表示装置が備える表示パネルのサイズは一定である。このため、従来、表示装置において、入力画像のアスペクト比と表示パネルのアスペクト比とが異なる場合に、表示する画像の周囲に暗色の帯状のブランク部を設けることが行われる（例えば、特許文献１）。
また、従来、表示装置において、表示特性に合わせて画像を補正するものが知られている（例えば、特許文献２、３参照）。
【先行技術文献】
【特許文献】
【０００３】
【特許文献１】特開２００９−２２３０４１号公報
【特許文献２】特開２００３−１８４１５号公報
【特許文献３】特開２００６−１１３１５１号公報
【発明の概要】
【発明が解決しようとする課題】
【０００４】
特許文献２、３に記載された方法では、表示特性に合わせて画像を補正することにより、色再現性の向上を図っている。ところが、特許文献１に記載されたように、表示装置において、表示可能な領域の一部に画像を表示する場合がある。このように、表示可能な領域において実際に画像を表示する領域が変化する場合、特許文献２、３のように画像を補正しても、十分な効果が得られるとは限らない。
本発明は上記事情に鑑みてなされたものであり、画像を表示する領域の変化に対応して、画像の表示品質を向上させることが可能な表示装置、及び、表示装置の制御方法を提供することを目的とする。
【課題を解決するための手段】
【０００５】
上記目的を達成するために本発明の表示装置は、表示パネルに画像を表示する表示部と、前記表示パネルに表示される画像を補正する補正部と、を備え、前記補正部は、前記表示パネルの一部に前記画像が表示される場合に、前記画像が表示される表示領域に対応した補正を行うことを特徴とする。
本発明によれば、画像が表示される表示領域に対応した補正を行って、表示パネルの一部に画像が表示される場合であっても、画像の表示画質の向上を図ることができる。
【０００６】
また、本発明は、上記表示装置において、前記補正部は、前記表示パネルの表示可能領域に対する前記表示領域の位置、及び、前記表示領域の大きさのうち、少なくともいずれかに対応した補正を行うことを特徴とする。
本発明によれば、画像が表示される表示領域に対応した補正を行うことができる。
【０００７】
また、本発明は、上記表示装置において、前記補正部は、前記表示領域の前記表示パネルの表示特性に対応して前記画像を補正するものであり、前記表示パネルの一部に前記画像が表示される場合に、前記表示領域以外の領域における表示特性を加味しない補正を行うこと、を特徴とする。
本発明によれば、表示パネルにおいて画像を表示する領域の表示特性に適する補正を行い、より一層の表示品質の向上を図ることができる。
【０００８】
また、本発明は、上記表示装置において、前記表示パネルの表示解像度と、表示する画像の解像度とに基づいて、前記表示パネルにおける前記表示領域の位置及び大きさを指定して画像を表示させる表示制御部を備えることを特徴とする。
本発明によれば、表示する画像の解像度に適する表示領域に画像を表示させることができる。
【０００９】
また、本発明は、上記表示装置において、前記画像を補正する補正データを、前記表示パネルにおける前記表示領域の配置状態に対応付けて記憶する記憶部と、前記記憶部が記憶する前記補正データを、前記表示パネルにおける前記表示領域の配置状態に基づいて選択する選択部と、を備え、前記補正部は、前記選択部が選択する前記補正データに基づき画像を補正すること、を特徴とする。
本発明によれば、表示パネルにおける表示領域の配置状態に対応する補正データを利用して補正を行うことで、処理負荷を軽減し、より一層の表示品質の向上を図ることができる。
【００１０】
また、本発明は、上記表示装置において、前記表示部は、前記表示パネルの表示解像度と、表示する画像の解像度との組み合わせに対応する前記表示領域に画像を表示し、前記記憶部は、前記表示パネルの表示解像度と、表示する画像の解像度との組み合わせに対応付けて前記補正データを記憶することを特徴とする。
本発明によれば、表示パネルの表示解像度と、表示する画像の解像度との組み合わせに対応する補正データを用いて、画像を適切に補正することができる。
【００１１】
本発明の表示装置の制御方法は、表示パネルに画像を表示する表示部を備えた表示装置の制御方法であって、前記表示パネルの一部に前記画像が表示される場合に、前記画像が表示される表示領域に対応して、前記表示パネルに表示される画像を補正することを特徴とする。
本発明によれば、画像が表示される表示領域に対応した補正を行って、表示パネルの一部に画像が表示される場合であっても、画像の表示画質の向上を図ることができる。
【図面の簡単な説明】
【００１２】
【図１】実施形態のプロジェクター及び周辺装置の機能ブロック図である。
【図２】画像処理部及び表示部の構成を示す機能ブロック図である。
【図３】（Ａ）は液晶パネルの全体に画像を表示する場合の補正特性を示し、（Ｂ）は液晶パネルの一部の表示可能領域に画像を表示する場合の補正特性を示す図である。
【図４】ＬＵＴ作成のメインフローを示すフローチャートである。
【図５】色特性測定処理の詳細を示すフローチャートである。
【図６】ガンマ補正ＬＵＴ作成処理の詳細を示すフローチャートである。
【図７】色むら補正ＬＵＴ作成処理の詳細を示すフローチャートである。
【図８】プロジェクターの処理手順を示すフローチャートである。
【発明を実施するための形態】
【００１３】
以下、添付図面を参照しながら本発明の実施形態について説明する。
図１には、本発明を適用した実施形態のプロジェクター１と、プロジェクター１に接続される各種周辺装置とを示す。なお、図１には、周辺装置として、画像供給装置２と、面測定装置４０と、画像調整装置５０とを示す。
【００１４】
まず、プロジェクター１について説明する。プロジェクター１は、画像供給装置２から供給される画像データＤ１に基づく投射画像Ｐを、投射面としてのスクリーンＳＣに投射する。プロジェクター１は、Ｉ／Ｆ（インターフェース）部１１を備え、Ｉ／Ｆ部１１を介して画像供給装置２に接続される。画像供給装置２は、静止画像又は動画像の画像データＤ１を、プロジェクター１に供給する。画像供給装置２は、例えば、ＤＶＤプレーヤー等の画像再生装置、デジタルテレビチューナー等の放送受信装置、ビデオゲーム機やパーソナルコンピューター等の映像出力装置等から選択される。また、画像供給装置２は、パーソナルコンピューター等と通信して画像データを受信する通信装置を用いることもできる。また、画像供給装置２は、デジタル形式で画像データＤ１を出力する装置に限定されず、アナログ画像信号を出力する装置であってもよい。この場合、画像供給装置２の出力側又はプロジェクター１の入力側に、アナログ画像信号からデジタル形式の画像データＤ１を生成するＡ／Ｄ変換器を設けることが好ましい。
また、画像供給装置２とプロジェクター１とを接続するインターフェースの具体的な仕様は任意である。すなわち、図１には、１台の画像供給装置２をプロジェクター１に接続した構成を示しているが、複数の画像供給装置２をプロジェクター１に接続してもよい。
【００１５】
プロジェクター１は、操作表示部１２と、表示制御部１３とを備えている。操作表示部１２には、スイッチを備えた操作パネルや、プロジェクター１の動作モード等の情報を表示する表示パネルを備える。また、操作表示部１２は、リモコン（不図示）の操作に応じた信号を受信する赤外線受光部を備える。
また、操作表示部１２は、操作用のボタンだけを備え、表示パネル等の表示部を有しない構成であってもよい。
【００１６】
表示制御部１３は、Ｉ／Ｆ部１１と画像処理部２０とを接続するデータ線に接続し、Ｉ／Ｆ部１１から出力される画像データＤ１を入力する。表示制御部１３は、入力した画像データＤ１の解像度、静止画像であるか動画像であるかの判別、動画像の場合のフレームレート等の画像データＤ１の属性を判定する。表示制御部１３は、判定した属性を、後述する画像処理部２０の画像補正部２１に出力する。画像補正部２１は、表示制御部１３から入力した属性に基づいて画像の補正を行う。
表示制御部１３は、画像データＤ１の解像度を判定すると、判定した画像データＤ１の解像度と、後述する光変調部３２の液晶パネル３２１の解像度とに基づいて、液晶パネル３２１に表示させる画像の解像度（大きさ）を選択する。また、表示制御部１３は、画像データＤ１の解像度と、液晶パネル３２１の解像度とに基づいて、画像を表示させる液晶パネル３２１上の表示位置を設定する。
【００１７】
例えば、液晶パネル３２１の解像度がＷＸＧＡ（Wide eXtended Graphic Array)(横１２８０画素×縦８００画素）であり、画像データＤ１がＸＧＡ（eXtended Graphics Array)に対応した横１０２４画素×縦７６８画素の解像度を有する画像であるとする。すなわち、液晶パネル３２１のアスペクト比は５：３であり、画像データＤ１のアスペクト比は４：３である。この場合、表示制御部１３は、画像データＤ１のアスペクト比を維持したまま、画像データＤ１の縦方向の解像度（７６８画素）を、液晶パネル３２１の縦方向の解像度（８００画素）まで拡大した場合の画像データＤ１の横方向の解像度を計算する。表示制御部１３は、アスペクト比を維持したまま画像データＤ１の解像度を変換するので、画像データＤ１の横方向の解像度（１０２４画素）は、１０２４×（８００÷７６８）≒１０６６となる。また、拡大処理の倍率は、（８００／７６８）≒１．０４１７となる。
また、表示制御部１３は、横１０６６画素×縦８００画素の解像度を有する画像データＤ１を、横１２８０画素×縦８００画素の液晶パネル３２１に表示させるための表示位置の設定を行う。表示制御部１３は、画像データＤ１を横１２８０画素×縦８００画素の液晶パネル３２１に表示させるため、液晶パネル３２１の中央に画像が表示され、画像の左右方向（横方向）の両端に黒色画像が表示されるように設定する。表示制御部１３は、スケーリング処理した画像データＤ１の解像度に基づいて、画像データＤ１を表示させる液晶パネル３２１の表示位置を座標値で出力する。
【００１８】
また、液晶パネル３２１のパネル解像度がＸＧＡ（横１０２４画素×縦７６８画素）であり、画像データＤ１がＷＵＸＧＡ（Wide Ultra XGA）に対応した横１９２０画素×縦１２００画素の解像度を有する画像であるとする。すなわち、液晶パネル３２１のアスペクト比は、４：３であり、画像データＤ１のアスペクト比は、８：５である。この場合、表示制御部１３は、画像データＤ１のアスペクト比を維持したまま、画像データＤ１の横方向の解像度（１９２０画素）を、液晶パネル３２１の横方向の解像度（１０２４画素）まで縮小した場合の画像データＤ１の縦方向の解像度を計算する。表示制御部１３は、画像データＤ１のアスペクト比を維持したままで解像度を変換するので、画像データＤ１の縦方向の解像度（１２００画素）は、１２００×（１０２４÷１９２０）＝６４０となる。また、縮小処理の倍率は、（１０２４／１９２０）≒０．５３３３となる。
また、表示制御部１３は、横１０２４画素×縦６４０画素の解像度を有する画像データＤ１を、横１０２４画素×縦８００画素の液晶パネル３２１に表示させるための表示位置の設定を行う。表示制御部１３は、画像データＤ１を横１０２４画素×縦８００画素の液晶パネル３２１に表示させるため、液晶パネル３２１の中央に画像が表示され、画像の上下方向（縦方向）の両端に黒色画像が表示されるように設定する。表示制御部１３は、スケーリング処理した画像データＤ１の解像度に基づいて、画像データＤ１を表示させる液晶パネル３２１の表示位置を座標値で出力する。
【００１９】
表示制御部１３は、画像データＤ１を拡大処理又は縮小処理させる倍率を指定した倍率情報を、後述する画像補正部２１（図２参照）に出力する。
また、表示制御部１３は、画像を表示させる液晶パネル３２１上の表示位置を示す座標情報を、後述する黒色画像重畳部２４（図２参照）に出力する。
さらに、表示制御部１３は、入力した画像データＤ１の解像度を、後述するガンマ補正ＬＵＴ選択部２７及び色むら補正ＬＵＴ選択部２８（図２参照）に出力する。
【００２０】
また、表示制御部１３は、判定した画像データＤ１の属性に応じて、カラーモードを自動で選択する。カラーモードとは、投射画像の画質を、画像の種別や視聴環境等に応じて調整するモードである。カラーモードには、例えば、画像の明るさを優先した「明るさ優先モード」、色の再現性を優先した「色優先モード」、明るい環境での視聴に適する「ダイナミックモード」等がある。また、カラーモードには、薄明かりの中での視聴に適した「リビングモード」、暗い環境下で入力信号に忠実な画像を再現可能な「ナチュラルモード」、暗い環境下での映画鑑賞に適する「シアターモード」等がある。
表示制御部１３は、選択したカラーモードを、推奨カラーモードとしてプロジェクター１の操作表示部１２に表示させる。表示制御部１３は、推奨カラーモードを操作表示部１２に表示させて、カラーモードの選択入力を操作表示部１２により受け付ける。操作表示部１２により、推奨カラーモードが選択された場合には、表示制御部１３は、選択された推奨カラーモードの情報をカラーモードの選択情報としてガンマ補正ＬＵＴ選択部２７及び色むら補正ＬＵＴ選択部２８に出力する。また、操作表示部１２の操作により、推奨カラーモードとは別のカラーモードが選択された場合には、表示制御部１３は、選択されたカラーモードの選択情報をガンマ補正ＬＵＴ選択部２７及び色むら補正ＬＵＴ選択部２８に出力する。
【００２１】
ここで、図２を参照しながら画像処理部２０及び表示部３０の構成について説明する。
画像処理部２０は、Ｉ／Ｆ部１１を介して入力した画像データＤ１に画像処理を行って、投射画像Ｐを形成するためのデータ（１フレームのデータ）を生成し、生成したデータを画像信号Ｄ３として表示部３０に出力する。画像処理部２０は、画像補正部２１、ガンマ補正実行部２２、色むら補正実行部２３、黒色画像重畳部２４、ガンマ補正ＬＵＴ保存部２５（記憶部）、色むら補正ＬＵＴ保存部２６（記憶部）、ガンマ補正ＬＵＴ選択部２７、色むら補正ＬＵＴ選択部２８を備える。
【００２２】
画像補正部２１には、Ｉ／Ｆ部１１を介して、画像供給装置２から供給される画像データＤ１が入力される。また、画像補正部２１には、表示制御部１３から、倍率情報が入力される。
【００２３】
画像補正部２１は、表示制御部１３から入力された倍率情報に従って、入力した画像データＤ１に対してスケーリング処理を行う。例えば、画像データＤ１がＸＧＡ（eXtended Graphics Array)に対応する横１０２４画素×縦７６８画素の解像度を有する画像であり、倍率情報が（８００／７６８）≒１．０４１７倍であるとする。この場合、画像補正部２１は、画像データＤ１を（８００／７６８）倍に拡大処理して、横１０６６画素×縦８００画素の解像度を有する画像に変換する。また、画像データＤ１がＷＵＸＧＡ（Wide Ultra XGA）に対応する横１９２０画素×縦１２００画素の解像度を有する画像であり、倍率情報が（１０２４／１９２０）≒０．５３３３倍であるとする。この場合、画像補正部２１は、画像データＤ１を（１０２４／１９２０）倍に縮小処理して、横１０２４画素×縦６４０画素の解像度を有する画像に変換する。
【００２４】
また、画像補正部２１は、スケーリング処理済みの画像データＤ１に対して、ノイズ除去、フレーム補間処理、画像データＤ１のフレームレートを変換する処理等を行う。また、画像補正部２１は、スケーリング処理済みの画像データＤ１に対して、台形歪みや樽型歪みを補正する歪み補正処理、明るさ、コントラスト、シャープネス等の画質を調整する処理等を行う。画像補正部２１は、補正した画像データＤ１をガンマ補正実行部２２に出力する。
【００２５】
ガンマ補正実行部２２及び色むら補正実行部２３は、投射画像Ｐにおける色ずれ及び色むらを補正して、色再現性及び色均一性を高める。すなわち、投射画像Ｐには、光変調部３２が備える液晶パネル３２１の色特性等により、色ずれが発生する。また、投射画像Ｐにおいて、中央部と周縁部との色の差が発生する。これらの色ずれ及び色むらを、ガンマ補正実行部２２及び色むら補正実行部２３は、ＬＵＴを用いた処理により補正する。
【００２６】
ガンマ補正実行部２２には、画像補正部２１から画像データＤ１が入力される。ガンマ補正実行部２２は、画像補正部２１により補正された画像データＤ１に対し、光変調部３２が備える液晶パネル３２１の色ずれを補償するように、ガンマ補正を行う。
また、ガンマ補正実行部２２は、１又は複数のＬＵＴを記憶するＳＲＡＭ等の記憶素子を備え、ガンマ補正ＬＵＴ保存部２５に接続される。ガンマ補正実行部２２は、ガンマ補正ＬＵＴ保存部２５から入力されるガンマ補正ＬＵＴを記憶素子に記憶させ、記憶素子に記憶させたガンマ補正ＬＵＴに基づいてガンマ補正を実行する。ガンマ補正実行部２２は、補正後の画像データを色むら補正実行部２３に出力する。
【００２７】
色むら補正実行部２３には、ガンマ補正実行部２２から画像データＤ１が入力される。色むら補正実行部２３は、ガンマ補正実行部２２から入力された画像データＤ１に対し、画像の中央部と周辺部（周縁部）との間の色の差、すなわち色むらを補償するように、色むらの補正を行う。
また、色むら補正実行部２３は、１又は複数のＬＵＴを記憶するＳＲＡＭ等の記憶素子を備え、色むら補正ＬＵＴ保存部２６に接続される。色むら補正実行部２３は、色むら補正ＬＵＴ保存部２６から入力される色むら補正ＬＵＴを記憶素子に記憶させ、記憶素子に記憶させた色むら補正ＬＵＴに基づいて色むら補正を実行する。色むら補正実行部２３は、補正後の画像データを黒色画像重畳部２４に出力する。
【００２８】
色むら補正実行部２３が実行する補正は、投射画像Ｐの中央部と周縁部との色の差を解消又は低減するため、投射画像Ｐの周縁部の色を中央部の色に近づける処理である。従って、色むら補正実行部２３は、ガンマ補正実行部２２がガンマ補正をした階調値の補正量（ＬＵＴ値）を、画素の位置及び階調値に応じて加算する処理ということができる。このため、色むら補正実行部２３が使用する色むら補正ＬＵＴは、画素の座標と階調値に対応した加算量を含むということができる。
【００２９】
黒色画像重畳部２４には、表示制御部１３から、画像を表示させる液晶パネル３２１上の表示位置を示す座標情報が入力される。黒色画像重畳部２４は、フレームメモリー（不図示）を備え、色むら補正実行部２３から入力される画像データＤ１を座標情報に従ってフレームメモリーに展開する。なお、表示制御部１３で生成される液晶パネル３２１の座標情報は、フレームメモリーの座標情報に対応している。また、黒色画像重畳部２４は、画像データＤ１を展開した領域以外のフレームメモリーの領域には、黒色画像を展開させる。また、黒色画像重畳部２４は、フレームメモリーの全領域に、画像データＤ１に基づく画像が表示される場合には、フレームメモリーに、黒色画像の展開は行わない。黒色画像重畳部２４は、フレームメモリーに、１フレーム分の画像データが展開されると、展開された１フレーム毎の画像を画像信号Ｄ３として変調制御部３５に出力する。
【００３０】
ガンマ補正ＬＵＴ保存部２５は、後述するガンマ補正ＬＵＴ作成部５３により作成される複数のガンマ補正ＬＵＴを記憶する。ガンマ補正ＬＵＴは、光変調部３２が備える液晶パネル３２１の色特性に合わせて、投射画像Ｐの色が、本来の画像データＤ１の表示色となるように補正するためのデータを含む。ガンマ補正実行部２２は、ガンマ補正ＬＵＴを用いて、画像補正部２１から入力された画像データＤ１の多階調化や再割り当ての処理を行う。
【００３１】
ガンマ補正ＬＵＴ保存部２５が記憶するガンマ補正ＬＵＴには、全表示用ガンマ補正ＬＵＴが含まれる。全表示用ガンマ補正ＬＵＴは、液晶パネル３２１の全表示可能領域に表示させる画像データＤ１に対する補正に使用されるＬＵＴである。全表示用ガンマ補正ＬＵＴは、カラーモードに応じて複数用意される。
また、ガンマ補正ＬＵＴ保存部２５が記憶するガンマ補正ＬＵＴには、部分表示用ガンマ補正ＬＵＴが含まれる。部分表示用ガンマ補正ＬＵＴは、液晶パネル３２１の表示可能領域のうちの一部の表示可能領域に表示させる画像データＤ１に対する補正に使用されるＬＵＴである。部分表示用ガンマ補正ＬＵＴは、後述する配置情報と、カラーモードとに応じて複数用意される。
【００３２】
色むら補正ＬＵＴ保存部２６は、後述する色むら補正ＬＵＴ作成部５４により作成される複数の色むら補正ＬＵＴを記憶する。色むら補正ＬＵＴは、フレーム内の画素の位置毎に階調を補正するデータを含む。色むら補正実行部２３は、色むら補正ＬＵＴを用いて、ガンマ補正実行部２２から入力された画像データの色むら、すなわち、画像データの１フレームにおける中央部と周辺部（周縁部）との間の色差を補償する。
【００３３】
色むら補正ＬＵＴ保存部２６が記憶する色むら補正ＬＵＴには、全表示用色むら補正ＬＵＴが含まれる。全表示用色むら補正ＬＵＴは、液晶パネル３２１の全表示可能領域に表示させる画像データＤ１に対する補正に使用されるＬＵＴである。全表示用色むら補正ＬＵＴは、カラーモードに応じて複数用意される。
また、色むら補正ＬＵＴ保存部２６が記憶する色むら補正ＬＵＴには、部分表示用色むら補正ＬＵＴが含まれる。部分表示用色むら補正ＬＵＴは、液晶パネル３２１の表示可能領域のうちの一部の表示可能領域に表示させる画像データＤ１に対する補正に使用されるＬＵＴである。部分表示用色むら補正ＬＵＴは、後述する配置情報と、カラーモードとに応じて複数用意される。
【００３４】
本実施形態のプロジェクター１は、液晶パネル３２１の表示可能領域の全体に画像を表示する場合と、表示可能領域の一部に画像を表示する場合とで、異なるＬＵＴを使用する。すなわち、全表示用ガンマ補正ＬＵＴと部分表示用ガンマ補正ＬＵＴ、及び全表示用色むら補正ＬＵＴと部分表示用色むら補正ＬＵＴとを使い分けて補正を行う。
【００３５】
図３（Ａ）に、プロジェクター１の備える液晶パネル３２１のむら特性（無補正時）の一例を破線で示す。図３（Ａ）の横軸は、液晶パネル３２１の横方向（水平方向）における画素位置を示し、縦軸は輝度を示す。なお、液晶パネル３２１は、画素ずれ補正等の目的で、仕様上の画素数よりも多くの画素が形成されていることがある。この液晶パネル３２１で表示に使用される画素は中央を含む一部であって、周縁部には、表示に使用されない不使用領域がある。本実施形態では、不使用領域を除く範囲を「表示可能領域」とする。図３（Ａ）及び後述する図３（Ｂ）は、液晶パネル３２１の表示可能領域における特性を示す。また、以下の説明で、液晶パネル３２１の全体、というときには、表示可能領域の全体を指す。
【００３６】
図３（Ａ）に破線で示すように、液晶パネル３２１のむら特性は、液晶パネル３２１の左側で輝度が高く右側で輝度が低い傾向を示す。このため、液晶パネル３２１の全体に画像を表示する場合、スクリーンＳＣに投射される投射画像は、投射画像の左端の輝度が、投射画像の右端の輝度よりも高く、投射画像の中央よりも左側にずれた位置で輝度が最大となる。
【００３７】
一般に、表示装置が表示する画像は、中央部の輝度が高く、周辺に向かって輝度が徐々に低下する状態になっていると、表示画像を見る人が、自然な印象を抱くことが知られている。この観点から、図３(Ａ)に破線で示すむら特性を有する液晶パネル３２１に表示する画像を、図３（Ａ）に実線で示す補正特性に合わせて補正すれば、表示品質を向上させることができる。プロジェクター１は、図３（Ａ）に実線で示すような補正特性を実現する全表示用ガンマ補正ＬＵＴを、ガンマ補正ＬＵＴ保存部２５に記憶する。
図３（Ａ）の例では、輝度を補正する場合に、液晶パネル３２１の横方向において右端の輝度が低いので、この右端の輝度を基準として補正が行われる。これは、輝度を補正する際に、むら特性が示す輝度よりも高い輝度に補正できないためである。例えば、液晶パネル３２１の左端の輝度を基準として、図３（Ａ）に一点鎖線で示すように輝度を補正する場合、液晶パネル３２１の右端の輝度をむら特性の輝度より高くする必要があり、実現できない。
【００３８】
図３（Ｂ）には、図３（Ａ）に破線で示した液晶パネル３２１のむら特性を同じく破線で示す。また、図３（Ｂ）には、図３（Ａ）に実線で示した全表示用ガンマ補正ＬＵＴによる補正特性を一点鎖線で示す。また、図３（Ｂ）には、部分表示用ガンマ補正ＬＵＴを用いたガンマ補正によって実現される補正特性を実線で示す。
上述のように輝度を補正する場合、むら特性における輝度を基準にした補正特性とする必要がある。このため、図３（Ｂ）に一点鎖線で示す全表示用ガンマ補正ＬＵＴによる補正特性では、液晶パネル３２１の右端のＡ点の輝度を基準にした補正特性としている。しかし、液晶パネル３２１の全体のうちの一部の表示可能領域に画像を表示させる場合、輝度が最も低い右端Ａ点は使用しないので、Ａ点の輝度を基準にする必要がない。例えば、画像の表示に使用する、液晶パネル３２１の表示可能領域が、図３(Ｂ）に破線で囲まれた領域であるとする。この場合、表示可能領域のなかで最も輝度が低い点Ｂの輝度を基準とした補正特性となる。図３（Ｂ）に実線で示す補正特性と、図３（Ｂ）に一点鎖線で示す補正特性とを比較すると明らかなように、図３（Ｂ）に実線で示す補正特性のほうが、一点鎖線で示す補正特性よりも輝度が高い。プロジェクター１は、図３（Ｂ）に実線で示すような補正特性を実現する部分表示用ガンマ補正ＬＵＴを、ガンマ補正ＬＵＴ保存部２５に記憶する。このため、液晶パネル３２１の一部の表示可能領域に画像を表示する場合には、図３（Ｂ）に実線で示す補正特性に従ったＬＵＴとすることで、投射画像の輝度を高くすることができる。
【００３９】
部分表示用ガンマ補正ＬＵＴは、後述するガンマ補正ＬＵＴ作成部５３によって、配置情報に対応して複数作成される。また、部分表示用色むら補正ＬＵＴは、後述する色むら補正ＬＵＴ作成部５４によって、配置情報に対応して複数作成される。部分表示用色むら補正ＬＵＴを配置情報に対応して複数作成するのは、画像の表示に使用する液晶パネル３２１の表示可能領域が変われば、図３（Ｂ）を参照して説明したようにむら特性における最低輝度も変わり、補正特性を変更する必要があるからである。
配置情報とは、プロジェクター１に入力される画像データＤ１の解像度と、この画像データを表示させる液晶パネル３２１上の表示位置（すなわち、表示範囲（位置又は大きさ））とを対応付けた情報である。液晶パネル３２１上の画像の表示位置は、液晶パネル３２１の解像度と、入力される画像データＤ１の解像度とに基づいて設定される。液晶パネル３２１の解像度は固定であるので、入力される画像データＤ１の解像度に応じて、液晶パネル３２１上の画像の表示位置が設定される。本実施形態では、入力される画像データＤ１の解像度に対応する配置情報を事前に作成して、不図示の記憶部に配置情報を記憶させておく。
ガンマ補正ＬＵＴ保存部２５は、補正データとしての複数の部分表示用ガンマ補正ＬＵＴを、液晶パネル３２１の表示可能領域における配置状態に対応付けて記憶する。同様に、色むら補正ＬＵＴ保存部２６は、補正データとしての複数の部分表示用色むら補正ＬＵＴを、液晶パネル３２１の表示可能領域における配置状態に対応付けて記憶する。
すなわち、ガンマ補正ＬＵＴ保存部２５は、画像を表示する液晶パネル３２１上の表示位置が特定されれば、この表示位置に表示された画像の補正に使用されるガンマ補正ＬＵＴが特定できるように部分表示用ガンマ補正ＬＵＴを記憶する。色むら補正ＬＵＴ保存部２６は、画像を表示する液晶パネル３２１上の表示位置が特定されれば、この表示位置に表示された画像の補正に使用される色むら補正ＬＵＴが特定できるように部分表示用色むら補正ＬＵＴを記憶する。
【００４０】
ガンマ補正ＬＵＴ選択部２７は、表示制御部１３及びガンマ補正ＬＵＴ保存部２５に接続される。ガンマ補正ＬＵＴ選択部２７には、表示制御部１３から、画像データＤ１の解像度と、カラーモードの情報とが入力される。
ガンマ補正ＬＵＴ選択部２７は、表示制御部１３から入力される画像データＤ１の解像度に基づいて配置情報を参照し、画像データを表示させる液晶パネル３２１上の表示位置の情報を取得する。ガンマ補正ＬＵＴ選択部２７は、取得した液晶パネル３２１上の表示位置の情報と、カラーモードとに基づいて、ガンマ補正ＬＵＴを選択する。ガンマ補正ＬＵＴ選択部２７は、取得した液晶パネル３２１上の表示位置が、液晶パネル３２１の全体を示していれば、全表示用ガンマ補正ＬＵＴを選択する。また、ガンマ補正ＬＵＴ選択部２７は、液晶パネル３２１上の表示位置が、液晶パネル３２１の一部の表示可能領域を示している場合には、この表示可能領域に対応した部分表示用ガンマ補正ＬＵＴを選択する。すなわち、液晶パネル３２１の一部の表示可能領域に画像が表示される場合に、この表示可能領域に対応した部分表示用ガンマ補正ＬＵＴを選択して、画像データＤ１を補正する。従って、画像が表示される液晶パネル３２１の一部の表示可能領域以外の領域における表示特性は加味しない補正を行う。従って、液晶パネル３２１において画像を表示する領域の表示特性に適する補正を行い、より一層の表示品質の向上を図ることができる。
ガンマ補正ＬＵＴ選択部２７は、解像度の情報とカラーモードの情報とに従ってガンマ補正ＬＵＴを選択し、選択したガンマ補正ＬＵＴを示す選択信号をガンマ補正ＬＵＴ保存部２５に出力する。ガンマ補正ＬＵＴ保存部２５は、ガンマ補正ＬＵＴ選択部２７から入力された選択信号に従って、対応するガンマ補正ＬＵＴをガンマ補正実行部２２に出力する。
【００４１】
色むら補正ＬＵＴ選択部２８は、表示制御部１３及び色むら補正ＬＵＴ保存部２６に接続される。色むら補正ＬＵＴ選択部２８には、表示制御部１３から、画像データＤ１の解像度と、カラーモードの情報とが入力される。
色むら補正ＬＵＴ選択部２８は、表示制御部１３から入力される画像データＤ１の解像度に基づいて配置情報を参照し、画像データを表示させる液晶パネル３２１上の表示位置の情報を取得する。色むら補正ＬＵＴ選択部２８は、取得した液晶パネル３２１上の表示位置の情報と、カラーモードとに基づいて、色むら補正ＬＵＴを選択する。色むら補正ＬＵＴ選択部２８は、取得した液晶パネル３２１上の表示位置が、液晶パネル３２１の全体を示していれば、全表示用色むら補正ＬＵＴを選択する。また、色むら補正ＬＵＴ選択部２８は、液晶パネル３２１上の表示位置が、液晶パネル３２１の一部の表示可能領域を示している場合には、この表示可能領域に対応した部分表示用色むら補正ＬＵＴを選択する。すなわち、液晶パネル３２１の一部の表示可能領域に画像が表示される場合に、この表示可能領域に対応した部分表示用色むら補正ＬＵＴを選択して、画像データＤ１を補正する。従って、画像が表示される液晶パネル３２１の一部の表示可能領域以外の領域における表示特性は加味しない補正を行う。従って、液晶パネル３２１において画像を表示する領域の表示特性に適する補正を行い、より一層の表示品質の向上を図ることができる。
色むら補正ＬＵＴ選択部２８は、解像度の情報とカラーモードの情報とに従って、色むら補正ＬＵＴを選択し、選択した色むら補正ＬＵＴを示す選択信号を色むら補正ＬＵＴ保存部２６に出力する。色むら補正ＬＵＴ保存部２６は、色むら補正ＬＵＴ選択部２８から入力された選択信号に従って、対応する色むら補正ＬＵＴを色むら補正実行部２３に出力する。
【００４２】
表示部３０は、画像処理部２０が出力する画像信号Ｄ３に基づいて投射画像ＰをスクリーンＳＣに投射する。表示部３０は、光源３１、光変調部３２、投射光学系３３、光源制御部３４及び変調制御部３５を備える。
【００４３】
光源３１は、キセノンランプ、超高圧水銀ランプ等のランプ類、又はＬＥＤやレーザー光源等の固体光源により構成される。光源３１は、光源制御部３４から供給される電力により点灯し、光変調部３２に向けて光Ｌ１を発する。
【００４４】
光変調部３２は、赤色（Ｒ）、緑色（Ｇ）及び青色（Ｂ）の各色に対応する３つの液晶パネル３２１を備える。光変調部３２は、光源３１が発した光Ｌ１を液晶パネル３２１に透過させて、透過光を投射光学系３３に導く。光変調部３２の液晶パネル３２１には変調制御部３５が接続される。変調制御部３５は、液晶パネル３２１の各画素を、画像信号に基づいて駆動して、液晶パネル３２１にフレーム（画面）単位で画像を描画する。光Ｌ１は液晶パネル３２１に描画された画像により変調されて画像光Ｌ２となり、投射光学系３３を介してスクリーンＳＣに投射され、スクリーンＳＣ上に投射画像Ｐを形成する。
【００４５】
光源３１と光変調部３２との間の光路又は光変調部３２には、光源３１が発した光を光変調部３２に導く反射部を設けてもよい。また、光源３１が発する光の光学特性を高めるためのレンズ群（不図示）、偏光板、或いは光源３１が発した光の光量を低減させる調光素子を設けてもよい。
また、光変調部３２は、反射型の液晶パネル３２１を用いた構成とすることができる。この場合、光変調部３２は、光Ｌ１を液晶パネル３２１に反射させ、反射光を投射光学系３３に導く。
【００４６】
次に、周辺装置としての面測定装置４０及び画像調整装置５０について説明する。
画像調整装置５０は、例えば、プロジェクター１の出荷前のＬＵＴの作成工程において、プロジェクター１に接続される。また、画像調整装置５０は、スクリーンＳＣ上の投射画像Ｐの色を検出する面測定装置４０に接続される。
【００４７】
面測定装置４０は、ＣＣＤやＣＭＯＳ等からなるイメージセンサーを備え、プロジェクター１が投射する投射画像Ｐを撮影して、撮影画像データからＸ，Ｙ，Ｚ三刺激値の面内二次元分布画像データを生成する。面測定装置４０は、生成した面内二次元分布画像データから投射画像Ｐの画面内の位置ごとの色特性（ＶＴ特性）を示すデータＤ５を生成して、生成したデータＤ５を画像調整装置５０に出力する。
画像調整装置５０は、面測定装置４０から入力されたデータＤ５に基づいて、全表示用ガンマ補正ＬＵＴ、部分表示用ガンマ補正ＬＵＴ、全表示用色むら補正ＬＵＴ及び部分表示用色むら補正ＬＵＴを作成する。以下、全表示用ガンマ補正ＬＵＴと、部分表示用ガンマ補正ＬＵＴとを総称して呼ぶ場合には、ガンマ補正ＬＵＴと呼び、全表示用色むら補正ＬＵＴと部分表示用色むら補正ＬＵＴとを総称して呼ぶ場合には、色むら補正ＬＵＴと呼ぶ。
画像調整装置５０は、生成したガンマ補正ＬＵＴをガンマ補正ＬＵＴ保存部２５に出力して、ガンマ補正ＬＵＴ保存部２５に記憶させる。また、画像調整装置５０は、生成した色むら補正ＬＵＴを色むら補正ＬＵＴ保存部２６に出力して、色むら補正ＬＵＴ保存部２６に記憶させる。
【００４８】
プロジェクター１の出荷前のＬＵＴ作成工程において、プロジェクター１には、画像供給装置２としてのコンピューターが接続される。コンピューターは、面測定用のパターン画像データを画像データＤ１としてプロジェクター１に出力する。このパターン画像データは、ＲＧＢ各単色の全面均一画像（ラスター画像）であり、測定する階調数分、表示される。
画像供給装置２としてのコンピューターは、パターン画像をソフトウェアにより生成し、又は予め用意されたパターン画像を読み出して出力する。また、面測定装置４０を、画像供給装置２としてのコンピューターが制御して、パターン画像の表示と、面測定装置４０による撮影とを同期させてもよい。また、パターン画像をプロジェクター１が投射する場合の光源の輝度を、画像供給装置２としてのコンピューターが制御してもよい。
【００４９】
ガンマ補正目標演算部５１は、目標色空間（例えば、ｓＲＧＢ）と、データＤ５に含まれる色特性とに基づいて、ガンマ補正ＬＵＴを作成する際のターゲットＸＹＺ値を求める。
【００５０】
色むら補正目標演算部５２は、面測定装置４０から入力されるデータＤ５に含まれる色特性のデータに基づき、色むら補正のターゲットＸＹＺ値を求める。
【００５１】
ガンマ補正ＬＵＴ作成部５３は、ガンマ補正目標演算部５１が求めたターゲットＸＹＺ値に基づいて全表示用ガンマ補正ＬＵＴ及び部分表示用ガンマ補正ＬＵＴを作成する。ガンマ補正ＬＵＴ作成部５３が行う具体的な処理は、例えば、上述した特許文献２に記載された公知の方法を用いることができる。
【００５２】
色むら補正ＬＵＴ作成部５４は、色むら補正目標演算部５２が求めたターゲットＸＹＺ値に基づいて、全表示用色むら補正ＬＵＴ及び部分表示用色むら補正ＬＵＴを作成する。色むら補正ＬＵＴ作成部５４が行う具体的な処理は、例えば、上述した特許文献２に記載された公知の方法を用いることができる。
【００５３】
画像調整装置５０は、ガンマ補正ＬＵＴ作成部５３が作成したガンマ補正ＬＵＴをガンマ補正ＬＵＴ保存部２５に出力して、ガンマ補正ＬＵＴ保存部２５にガンマ補正ＬＵＴを記憶させる。また、画像調整装置５０は、色むら補正ＬＵＴ作成部５４が作成した色むら補正ＬＵＴを色むら補正ＬＵＴ保存部２６に出力して、色むら補正ＬＵＴ保存部２６に色むら補正ＬＵＴを記憶させる。プロジェクター１の出荷前に、個々のプロジェクター１に対して画像調整装置５０がＬＵＴを作成することで、プロジェクター１の個体差に対応したＬＵＴを作成し、全てのプロジェクター１の色再現性及び色均一性の向上を図ることができる。
【００５４】
図１には面測定装置４０及び画像調整装置５０がプロジェクター１の外部装置として接続された構成を例示したが、プロジェクター１が、面測定装置４０及び画像調整装置５０を備えた構成とすることもできる。この場合、面測定装置４０は、スクリーンＳＣ上の投射画像Ｐを撮影できればよく、プロジェクター１が台形歪み補正用に撮像部（不図示）を備えていれば、この撮像部を用いることができる。また、画像処理部を構成するＣＰＵ等のプロセッサーが、ソフトウェアを実行することにより、画像調整装置５０の各部の機能を実現できる。さらに、画像供給装置２がプロジェクター１に出力するパターン画像を画像処理部２０が記憶していてもよい。この場合、プロジェクター１が単独で、ガンマ補正ＬＵＴ及び色むら補正ＬＵＴを作成することができ、また、プロジェクター１の出荷後であっても、プロジェクター１が単独でＬＵＴを作成できる。従って、プロジェクター１が備える光源の発光特性や光変調部３２の色特性の経時的変化に対応して、最適なガンマ補正ＬＵＴ、色むら補正ＬＵＴを用いて画像データを補正できる。また、光源を交換した場合にも、光源の発光特性の変化に対応したＬＵＴを作成できるという利点がある。
【００５５】
図４〜図７は、画像調整装置５０によりガンマ補正ＬＵＴ及び色むら補正ＬＵＴを作成する処理フローを示すフローチャートである。これらの図を参照してＬＵＴの作成処理について説明する。
まず、図４に示すように、面測定装置４０により色特性測定処理が実行される（ステップＳ１）。色特性測定処理の詳細について、図５に示すフローチャートを参照しながら説明する。
色特性測定処理では、プロジェクター１により、各階調のラスター画像を投射画像ＰとしてスクリーンＳＣに表示する（ステップＳ１１）。面測定装置４０は、投射画像Ｐとして投射されたラスター画像を撮影して、撮影画像データからＸ，Ｙ，Ｚ三刺激値の面内二次元分布画像データを生成する。面測定装置４０は、生成した面内二次元分布画像データから、スクリーンＳＣに投射されたラスター画像の階調の色特性（ＶＴ特性）を示すデータＤ５を生成して、画像調整装置５０に出力する（ステップＳ１２）。面測定装置４０は、予め設定されたすべての階調値についてステップＳ１１及びＳ１２の処理を繰り返し実行し（ステップＳ１３）、全階調値について処理が済むと、図４のステップＳ２に戻る。
【００５６】
次に、配置情報を選択する（ステップＳ２）。配置情報とは、プロジェクター１に入力される画像データＤ１の解像度と、この画像データＤ１を表示させる液晶パネル３２１上の表示位置とを対応付けた情報である。液晶パネル３２１上の表示位置が選択されることで、図３（Ｂ）を参照して説明した点Ｂに示す最低輝度が決定され、補正特性における最低輝度が決定される。また、液晶パネル３２１上の表示位置が選択されることで、後述するステップＳ５、Ｓ６のガンマ補正ＬＵＴ作成処理、色むら補正ＬＵＴ作成処理において、全表示用のＬＵＴを作成するのか、部分表示用のＬＵＴを作成するのかが選択される。すなわち、液晶パネル３２１の解像度と、画像データの有する解像度とが一致している場合、ステップＳ５及びＳ６において、全表示用のＬＵＴが作成される。また、液晶パネル３２１の解像度と、画像データの有する解像度とが一致していない場合には、ステップＳ５及びＳ６において、部分表示用のＬＵＴが作成される。
なお、ステップＳ２の配置情報は、ユーザーが操作部５５を操作して選択するものであってもよいし、事前に設定された情報に基づいてガンマ補正ＬＵＴ作成部５３、色むら補正ＬＵＴ作成部５４が自動的に選択するものであってもよい。
【００５７】
次に、カラーモードが選択される（ステップＳ４）。後述するステップＳ５のガンマ補正ＬＵＴ作成処理、Ｓ６の色むら補正ＬＵＴ作成処理において作成するＬＵＴを、どのカラーモードに対応したＬＵＴとするのかが選択される。このカラーモードの選択も、ユーザーが操作部５５を操作して選択するものであってもよいし、事前に設定された情報に基づいてガンマ補正ＬＵＴ作成部５３、色むら補正ＬＵＴ作成部５４が自動的に選択してもよい。
【００５８】
次に、ガンマ補正目標演算部５１及びガンマ補正ＬＵＴ作成部５３によりガンマ補正ＬＵＴを作成する（ステップＳ５）。ガンマ補正ＬＵＴ作成部５３は、ステップＳ２により選択された配置情報と、ステップＳ３により選択されたカラーモードとに対応するガンマ補正ＬＵＴを作成する。ガンマ補正ＬＵＴの作成手順の詳細について、図６に示すフローチャートを参照しながら説明する。
まず、ガンマ補正目標演算部５１により各階調のガンマ補正の目標値（ターゲットＸＹＺ値）が演算される（ステップＳ２１）。ガンマ補正目標演算部５１は、目標色空間（例えば、ｓＲＧＢ）と、データＤ５に含まれる色特性とに基づいて、ガンマ補正ＬＵＴを作成する際のターゲットＸＹＺ値を求める。
【００５９】
続いて、ガンマ補正ＬＵＴ作成部５３により、ガンマ補正目標演算部５１が算出したターゲットＸＹＺ値に基づきマトリクス演算が繰り返し実行され、黒（最小階調）〜白（最大階調）間の各階調値を実現する入力ＲＧＢ値が求められる（ステップＳ２２）。ガンマ補正ＬＵＴ作成部５３は、この演算を全階調について実行したか否かを判定し（ステップＳ２３）、全階調について入力ＲＧＢ値が求められていないと判定すると（ステップＳ２３／ＮＯ）、ステップＳ２１の処理に戻る。また、ガンマ補正ＬＵＴ作成部５３は、全階調について入力ＲＧＢ値を求めたと判定すると(ステップＳ２３／ＹＥＳ)、ガンマ補正ＬＵＴの作成処理を終了させる。
【００６０】
次に、色むら補正目標演算部５２及び色むら補正ＬＵＴ作成部５４により色むら補正ＬＵＴを作成する（ステップＳ６）。色むら補正ＬＵＴ作成部５４は、ステップＳ２により選択された配置情報と、ステップＳ３により選択されたカラーモードとに対応する色むら補正ＬＵＴを作成する。色むら補正ＬＵＴの作成処理の詳細について、図７に示すフローチャートを参照しながら説明する。
まず、色むら補正目標演算部５２により各位置、各階調の目標値（ターゲットＸＹＺ値）が演算される（ステップＳ３１）。色むら補正目標演算部５２は、目標色空間（例えば、ｓＲＧＢ）と、データＤ５に含まれる色特性とに基づいて、色むら補正ＬＵＴを作成する際のターゲットＸＹＺ値を、データＤ５の画素ごと、階調ごとに求める。
【００６１】
色むら補正ＬＵＴ作成部５４は、色むら補正目標演算部５２により求めたターゲットＸＹＺ値に基づきマトリクス演算を実行し、ターゲットＸＹＺ値を実現する入力ＲＧＢ値を、画素ごと、各階調ごとに探索する（ステップＳ３２）。色むら補正ＬＵＴ作成部５４は、探索した結果と、ガンマ補正ＬＵＴ作成処理でガンマ補正ＬＵＴ作成部５３が作成したガンマ補正ＬＵＴとの差分を求めて、差分を色むら補正ＬＵＴとして保存する（ステップＳ３３）。色むら補正ＬＵＴ作成部５４は、データＤ５の全ての画素、全ての階調についてステップＳ３１〜Ｓ３３の処理を実行したか否かを判定する（ステップＳ３４）。データＤ５の全ての画素、全ての階調についてステップＳ３１〜Ｓ３３の処理を実行していないと判定する場合（ステップＳ３４／ＮＯ）、色むら補正ＬＵＴ作成部５４は、ステップＳ３１〜Ｓ３３の処理を繰り返す。また、データＤ５の全ての画素、全ての階調についてステップＳ３１〜Ｓ３３の処理を実行したと判定する場合（ステップＳ３４／ＹＥＳ）、色むら補正ＬＵＴ作成部５４は、色むら補正ＬＵＴの作成処理を終了させる。
【００６２】
次に、図８に示すフローチャートを参照しながらプロジェクター１の処理手順を説明する。
まず、表示制御部１３は、Ｉ／Ｆ部１１を介して、画像供給装置２から供給される画像データＤ１を入力したか否かを判定する（ステップＳ５１）。肯定判定の場合（ステップＳ５１／ＹＥＳ）、表示制御部１３は、入力した画像データＤ１の属性を判定する（ステップＳ５２）。表示制御部１３は、入力した画像データＤ１の解像度、静止画像であるか動画像であるかの判別、動画像の場合のフレームレート等の画像データＤ１の属性を判定する。表示制御部１３は、入力した画像データＤ１の解像度を画像補正部２１に出力する。
【００６３】
また、表示制御部１３は、画像データＤ１の解像度を判定すると、判定した画像データＤ１の解像度と、液晶パネル３２１の解像度とに基づいて、画像補正部２１のスケーリング処理に使用する倍率情報を生成する。また、表示制御部１３は、スケーリング処理後の画像データＤ１の解像度に基づいて、画像データＤ１を表示させる液晶パネル３２１の表示位置を座標値で出力する。表示制御部１３は、生成した倍率情報を、画像補正部２１に出力する。また、表示制御部１３は、画像を表示させる液晶パネル３２１上の表示位置を示す座標情報を黒色画像重畳部２４に出力する。
【００６４】
次に、表示制御部１３は、判定した属性に基づいて、画像データＤ１を投射させる際のカラーモードを選択する。表示制御部１３は、選択したカラーモードを、推奨カラーモードとしてプロジェクター１の操作表示部１２に表示させ、操作表示部１２により選択入力を受け付ける（ステップＳ５３）。表示制御部１３は、操作表示部１２からカラーモードの選択を入力すると（ステップＳ５３／ＹＥＳ）、入力したカラーモードの情報をカラーモードの選択情報としてガンマ補正ＬＵＴ選択部２７及び色むら補正ＬＵＴ選択部２８に出力する。具体的には、表示制御部１３は、操作表示部１２により、推奨カラーモードの選択入力を受け付けた場合には、選択された推奨カラーモードの情報をカラーモードの選択情報としてガンマ補正ＬＵＴ選択部２７及び色むら補正ＬＵＴ選択部２８に出力する。また、表示制御部１３は、操作表示部１２により、推奨カラーモードとは別のカラーモードが選択された場合には、選択されたカラーモードの選択情報をガンマ補正ＬＵＴ選択部２７及び色むら補正ＬＵＴ選択部２８に出力する。
【００６５】
画像補正部２１は、Ｉ／Ｆ部１１から画像データＤ１を入力すると、表示制御部１３から入力される倍率情報に基づいて画像データＤ１をスケーリング処理し、画像データＤ１を補正する（ステップＳ５４）。また、画像補正部２１は、スケーリング処理済みの画像データＤ１に対して、ノイズ除去、フレーム補間処理、画像データＤ１のフレームレートを変換する処理等を行う。また、画像補正部２１は、スケーリング処理済みの画像データＤ１に対して、台形歪みや樽型歪みを補正する歪み補正処理、明るさ、コントラスト、シャープネス等の画質を調整する処理等を行う。画像補正部２１は、補正した画像データＤ１をガンマ補正実行部２２に出力する。
【００６６】
ガンマ補正ＬＵＴ選択部２７には、表示制御部１３から、画像データＤ１の解像度と、カラーモードの情報とが入力される。ガンマ補正ＬＵＴ選択部２７は、表示制御部１３から入力される画像データＤ１の解像度に基づいて配置情報を参照し、画像データを表示させる液晶パネル３２１上の表示位置の情報を取得する。また、ガンマ補正ＬＵＴ選択部２７は、取得した液晶パネル３２１上の表示位置の情報と、カラーモードとに基づいて、ガンマ補正ＬＵＴを選択し、選択したガンマ補正ＬＵＴを示す選択信号をガンマ補正ＬＵＴ保存部２５に出力する。ガンマ補正ＬＵＴ保存部２５は、ガンマ補正ＬＵＴ選択部２７から入力された選択信号に従って、対応するガンマ補正ＬＵＴをガンマ補正実行部２２に出力する。なお、液晶パネル３２１上の表示位置が、液晶パネル３２１の全体を示していれば、ガンマ補正ＬＵＴ選択部２７により全表示用ガンマ補正ＬＵＴが選択される。また、液晶パネル３２１上の表示位置が、液晶パネル３２１の一部の表示可能領域を示している場合には、この表示可能領域に対応した部分表示用ガンマ補正ＬＵＴがガンマ補正ＬＵＴ選択部２７により選択される。
ガンマ補正実行部２２は、ガンマ補正ＬＵＴ保存部２５から入力されるガンマ補正ＬＵＴを記憶素子に記憶させ、画像補正部２１から入力される画像データＤ１に対して、記憶素子に記憶させたガンマ補正ＬＵＴに基づくガンマ補正を行う（ステップＳ５５）。ガンマ補正実行部２２は、ガンマ補正した画像データＤ１を色むら補正実行部２３に出力する。
【００６７】
色むら補正ＬＵＴ選択部２８には、表示制御部１３から、画像データＤ１の解像度と、カラーモードの情報とが入力される。色むら補正ＬＵＴ選択部２８は、表示制御部１３から入力される画像データＤ１の解像度に基づいて配置情報を参照し、画像データを表示させる液晶パネル３２１上の表示位置の情報を取得する。また、色むら補正ＬＵＴ選択部２８は、取得した液晶パネル３２１上の表示位置の情報と、カラーモードとに基づいて、色むら補正ＬＵＴを選択し、選択した色むら補正ＬＵＴを示す選択信号を色むら補正ＬＵＴ保存部２６に出力する。色むら補正ＬＵＴ保存部２６は、色むら補正ＬＵＴ選択部２８から入力された選択信号に従って、対応する色むら補正ＬＵＴを色むら補正実行部２３に出力する。なお、液晶パネル３２１上の表示位置が、液晶パネル３２１の全体を示していれば、色むら補正ＬＵＴ選択部２８により全表示用色むら補正ＬＵＴが選択される。また、液晶パネル３２１上の表示位置が、液晶パネル３２１の一部の表示可能領域を示している場合には、この表示可能領域に対応した部分表示用色むら補正ＬＵＴが色むら補正ＬＵＴ選択部２８により選択される。
色むら補正実行部２３は、色むら補正ＬＵＴ保存部２６から入力される色むら補正ＬＵＴを記憶素子に記憶させる。色むら補正実行部２３は、ガンマ補正実行部２２から入力される画像データＤ１に対して、記憶素子に記憶させた色むら補正ＬＵＴに基づく色むら補正を行う（ステップＳ５６）。色むら補正実行部２３は、色むら補正した画像データＤ１を黒色画像重畳部２４に出力する。
【００６８】
黒色画像重畳部２４は、色むら補正実行部２３から入力される画像データＤ１を、表示制御部１３から入力される座標情報に従ってフレームメモリーに展開する。また、黒色画像重畳部２４は、画像データＤ１を展開した領域以外のフレームメモリーの領域には、黒色画像を展開させる。また、黒色画像重畳部２４は、フレームメモリーの全領域に、画像データＤ１に基づく画像が表示される場合には、フレームメモリーに、黒色画像の展開は行わない。黒色画像重畳部２４は、フレームメモリーに、１フレーム分の画像データが展開されると、展開された１フレーム毎の画像を画像信号Ｄ３として変調制御部３５に出力する。表示部３０は、画像処理部２０から出力される画像信号Ｄ３に基づいて投射画像ＰをスクリーンＳＣに投射する（ステップＳ５７）。これにより、プロジェクター１に入力される画像データＤ１の解像度が、液晶パネル３２１の解像度に一致しない場合には、投射画像の左右若しくは上下の両端、又は左右両端及び上下両端に黒色画像が挿入された投射画像ＰがスクリーンＳＣに投射される。
【００６９】
以上、詳細に説明したように本実施形態は、液晶パネル３２１の全体に画像を表示させる解像度の画像データＤ１が、プロジェクター１に入力された場合には、全表示用ガンマ補正ＬＵＴ及び全表示用色むら補正ＬＵＴにより画像データを補正する。また、液晶パネル３２１の一部の表示可能領域に画像を表示させる解像度の画像データＤ１が、プロジェクター１に入力された場合には、部分表示用ガンマ補正ＬＵＴ及び部分表示用色むら補正ＬＵＴにより画像データを補正する。全表示用ガンマ補正ＬＵＴ及び全表示用色むら補正ＬＵＴは、液晶パネル３２１の全体に画像を表示させる場合に、画像データＤ１の輝度及び色むらが最適となるように補正するＬＵＴである。また、部分表示用ガンマ補正ＬＵＴ及び部分表示用色むら補正ＬＵＴは、液晶パネル３２１の一部の表示可能領域に画像を表示させる場合に、画像データＤ１の輝度及び色むらが最適となるように補正するＬＵＴである。このため、画像が表示される液晶パネル３２１の表示可能領域に対応した補正を行って、画像の表示画質の向上を図ることができる。
【００７０】
本実施形態のプロジェクター１は、液晶パネル３２１に画像を表示する表示部３０と、液晶パネル３２１に表示される画像を補正するガンマ補正実行部２２及び色むら補正実行部２３とを備える。ガンマ補正実行部２２及び色むら補正実行部２３は、液晶パネル３２１の一部に画像が表示される場合に、画像が表示される液晶パネル３２１の表示可能領域に対応した補正を行う。従って、画像が表示される液晶パネル３２１の表示可能領域に対応した補正を行って、画像の表示画質の向上を図ることができる。
【００７１】
また、ガンマ補正実行部２２及び色むら補正実行部２３は、画像が表示される、液晶パネル３２１上の表示可能領域の位置と大きさとのいずれかに対応した補正を行う。従って、画像が表示される表示領域の位置と大きさとのいずれかに対応して画像を補正することができる。
【００７２】
また、表示制御部１３は、液晶パネル３２１の解像度と、表示する画像の解像度とに基づいて、液晶パネル３２１における表示可能領域の位置及び大きさを指定して画像を表示させる。従って、表示する画像の解像度に対応して、最適な液晶パネル３２１上の表示可能領域に画像を表示させることができる。
【００７３】
また、ガンマ補正実行部２２及び色むら補正実行部２３は、液晶パネル３２１の表示解像度と、表示する画像の解像度との組み合わせに対応して補正データを保持し、保持した補正データに基づいて補正した画像を表示する。従って、液晶パネル３２１の表示解像度と、表示する画像の解像度との組み合わせに対応した補正データを用いて、画像を適切に補正することができる。
【００７４】
なお、この発明は上記実施形態の構成に限られるものではなく、その要旨を逸脱しない範囲において種々の態様において実施することが可能である。例えば、光変調部３２は、透過型の液晶パネルを３枚用いた構成に限らず、例えば３枚の反射型の液晶パネルを用いることも可能である。また、光変調部３２は、１枚の液晶パネルとカラーホイールを組み合わせた方式により構成してもよい。また、光変調部３２が１枚の液晶パネル３２１を備える場合、画像処理部２０は、ＲＧＢの各色に共通する一組のＬＵＴ、即ち全表示用ガンマ補正ＬＵＴ、部分表示用ガンマ補正ＬＵＴ、全表示用色むら補正ＬＵＴ、及び部分表示用色むら補正ＬＵＴを用いてもよい。また、色毎に上記のＬＵＴの組を保存し、液晶パネル３２１に表示する色に合わせてＬＵＴを選択してもよい。また、光変調部３２が３枚の液晶パネルを備える場合、画像処理部２０は、一組のＬＵＴを３枚の液晶パネルに共通して用いてもよいし、液晶パネル毎に異なるＬＵＴを選択してもよい。
また、光変調部３２は、３枚のデジタルミラーデバイス（ＤＭＤ）を用いた方式、１枚のデジタルミラーデバイスとカラーホイールを組み合わせたＤＭＤ方式等により構成してもよい。光変調部３２として１枚のみの液晶パネル又はＤＭＤを用いる場合には、クロスダイクロイックプリズム等の合成光学系に相当する部材は不要である。また、液晶パネル及びＤＭＤ以外にも、光源が発した光を変調可能な光変調部３２であれば問題なく採用できる。
【００７５】
また、図１及び図２に示した各機能部は機能的構成を示すものであって、具体的な実装形態は特に制限されない。つまり、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現される機能の一部をハードウェアで実現してもよく、あるいは、ハードウェアで実現される機能の一部をソフトウェアで実現してもよい。その他、プロジェクター１の他の具体的な細部構成についても、本発明の趣旨を逸脱しない範囲で任意に変更可能である。
【符号の説明】
【００７６】
１…プロジェクター、２…画像供給装置、１３…表示制御部、２０…画像処理部、２１…画像補正部、２２…ガンマ補正実行部（補正部）、２３…色むら補正実行部（補正部）、２４…黒色画像重畳部、２５…ガンマ補正ＬＵＴ保存部（記憶部）、２６…色むら補正ＬＵＴ保存部（記憶部）、２７…ガンマ補正ＬＵＴ選択部（選択部）、２８…色むら補正ＬＵＴ選択部（選択部）、３０…表示部、４０…面測定装置、５０…画像調整装置、３２１…液晶パネル（表示パネル）。
【図１】
2016109841.tif 000003
【図２】
2016109841.tif 000004
【図３】
2016109841.tif 000005
【図４】
2016109841.tif 000006
【図５】
2016109841.tif 000007
【図６】
2016109841.tif 000008
【図７】
2016109841.tif 000009
【図８】
2016109841.tif 000010